(57)【要約】【課題】採光する位置を鉛直方向に選択することを可能にし、しかも採光部分と遮光部分との境界を自由に設定可能にしたブラインド開閉制御装置を提供する。【解決手段】複数本のラダーコード２をヘッドボックス１から鉛直方向に垂下し、これらラダーコード２の横糸上に水平方向に延長する複数枚のスラット３を互いに平行に保持したブラインドの開閉状態を制御する装置であって、任意のスラット３に装着されるプレート部材１１と、プレート部材１１の下側のスラット３に装着されるプレート部材１２とを備え、プレート部材１１のスラット幅方向中央部から少なくとも１本の引き糸１４ａ，１４ｂを垂らしてプレート部材１２のスラット幅方向端部に連結し、プレート部材１１に引き糸１４ａ，１４ｂを引き上げた状態で係止する係止溝１９からなる係止手段を設けたブラインド開閉制御装置を構成する。【選択図】図２
2004197311.tif 000002
【特許請求の範囲】
【請求項１】
複数本のラダーコードをヘッドボックスから鉛直方向に垂下し、これらラダーコードの横糸上に水平方向に延長する複数枚のスラットを互いに平行に保持したブラインドの開閉状態を制御する装置であって、
任意のスラットに装着される第１プレート部材と、該第１プレート部材の下側のスラットに装着される第２プレート部材とを備え、前記第１プレート部材のスラット幅方向中央部から少なくとも１本の引き糸を垂らして前記第２プレート部材のスラット幅方向端部に連結し、前記第１プレート部材に前記引き糸を引き上げた状態で係止する係止手段を設けたブラインド開閉制御装置。
【請求項２】
前記第２プレート部材のスラット幅方向両端部にラダーコードの縦糸に係合する一対の係合溝を設けた請求項１に記載のブラインド開閉制御装置。
【請求項３】
前記係止手段は、前記第１プレート部材からラダーコードの縦糸に沿って延在する側板の下端に形成された係止溝を有し、該係止溝に前記引き糸を挟み込んで係止する請求項１又は請求項２に記載のブラインド開閉制御装置。
【発明の詳細な説明】
【０００１】
【発明の属する技術分野】
本発明は、複数枚のスラットを水平方向に保持した横型ブラインドの開閉状態を制御する装置に関し、さらに詳しくは、採光する位置を鉛直方向に選択することを可能にし、しかも採光部分と遮光部分との境界を自由に設定可能にしたブラインド開閉制御装置に関する。
【０００２】
【従来の技術】
従来の横型ブラインドは、窓枠上部に取り付けたヘッドボックスの左右からそれぞれラダーコードを鉛直方向に垂下し、これら左右一対のラダーコードによって水平方向に延長する複数枚のスラットを所定の間隔で互いに平行に保持し、この状態からラダーコードを操作することにより複数枚のスラットを同時に旋回させて開閉を行うようになっている。
【０００３】
ところで、オフィス等において、窓からの光によってコンピュータ画面が見え難くなったり、或いは窓越しに情報が漏洩することを防止するために、採光する位置を鉛直方向に選択することが可能であれば、必要部分だけで採光しながら、それ以外の部分では遮光するという理想的な環境を実現することができる。
【０００４】
このような要求に対して、横型ブラインドにおいて、ヘッドボックスから独立操作可能な２系統のラダーコードを垂下し、これら２系統のラダーコードに取り付けた上下のスラット群をそれぞれ独立に操作することにより、採光する位置を鉛直方向に選択可能にすることが提案されている。（例えば、特許文献１参照。）。
【０００５】
しかしながら、上記ブラインドでは２系統のラダーコードに上下のスラット群を取り付けて両者を独立に操作する構造を有しているため、採光部分と遮光部分との境界を必要に応じて変更できないという問題があった。すなわち、窓からの光によるコンピュータ画面の見え難さや窓越しに情報が漏洩する環境は、オフィスの設計や机の配置に応じて種々異なるので、採光部分と遮光部分との境界が固定されたブラインドでは個々のオフィスに合わせた理想的な採光を実現することは不可能であった。しかも、上記ブラインドは２系統のラダーコードを必要とし、その装置構成が極めて複雑であるという欠点も有している。
【０００６】
【特許文献１】
実公昭６２−３５１７号公報
【０００７】
【発明が解決しようとする課題】
本発明の目的は、採光する位置を鉛直方向に選択することを可能にし、しかも採光部分と遮光部分との境界を自由に設定可能にしたブラインド開閉制御装置を提供することにある。
【０００８】
【課題を解決するための手段】
上記目的を達成するための本発明のブラインド開閉制御装置は、複数本のラダーコードをヘッドボックスから鉛直方向に垂下し、これらラダーコードの横糸上に水平方向に延長する複数枚のスラットを互いに平行に保持したブラインドの開閉状態を制御する装置であって、任意のスラットに装着される第１プレート部材と、該第１プレート部材の下側のスラットに装着される第２プレート部材とを備え、前記第１プレート部材のスラット幅方向中央部から少なくとも１本の引き糸を垂らして前記第２プレート部材のスラット幅方向端部に連結し、前記第１プレート部材に前記引き糸を引き上げた状態で係止する係止手段を設けたことを特徴とするものである。
【０００９】
本発明では、任意の高さ位置のスラットに第１プレート部材を装着し、その第１プレート部材の下側のスラットに第２プレート部材を装着し、第１プレート部材のスラット幅方向中央部から少なくとも１本の引き糸を垂らして第２プレート部材のスラット幅方向端部に連結した状態にする。そして、ラダーコードの操作によってブラインド全体としての開閉を行う一方で、前記引き糸の引き上げ操作によって任意の高さ位置より下側のスラットだけを部分的に開閉することにより、採光する位置を鉛直方向に選択することができる。また、第１プレート部材及び第２プレート部材を装着する高さ位置を変更すれば採光部分と遮光部分との境界を自由に設定することができる。しかも、このブラインド開閉制御装置は、簡単な構造を有し、既存のブラインドに対して容易に取り付けることができる。
【００１０】
第２プレート部材のスラット幅方向両端部には、ラダーコードの縦糸に係合する一対の係合溝を設けることが好ましい。これにより、第２プレート部材が装着されたスラットの旋回動作をラダーコードに確実に伝達することができる。
【００１１】
前記係止手段としては、第１プレート部材からラダーコードの縦糸に沿って延在する側板の下端に形成された係止溝を有し、該係止溝に引き糸を挟み込んで係止するものが好ましい。このような係止手段は、簡単な構造でありながら引き糸を確実に係止することができる。
【００１２】
【発明の実施の形態】
以下、本発明の構成について添付の図面を参照して詳細に説明する。
【００１３】
図１は本発明のブラインド開閉制御装置が装着されるブラインドを例示するものである。このブラインドは、図１に示すように、ヘッドボックス１から一対の縦糸と複数の横糸からなる複数本のラダーコード２を鉛直方向に垂下し、これらラダーコード２の横糸上に水平方向に延長する複数枚のスラット３を互いに平行に保持したものである。
【００１４】
ヘッドボックス１には、ラダーコード２の一方の縦糸を巻き取ると同時に他方の縦糸を巻き解く不図示のドライブシャフトが軸支されている。このドライブシャフトは端部にプーリを備え、そのプーリに掛け回された開閉コード４を操作することで両方向に自在に回転するようになっている。そのため、開閉コード４の操作によりドライブシャフトを一方向に回転させると、ラダーコード２の一方の縦糸が巻き取られ、他方の縦糸が巻き解かれるので、複数枚のスラット３は同時に水平軸廻りの同一方向に傾斜角度を変化させながら旋回することになる。
【００１５】
各スラット３にはラダーコード２の近傍位置にそれぞれ開口部３ａが設けられており、この開口部３ａ内にヘッドボックス１から下方に延長する昇降用コード５が挿入されている。昇降用コード５の先端はラダーコード２の先端と共にボトムレール６に接続されている。一方、昇降用コード５の後端部はストッパー７を介してヘッドボックス１の外側に引き出されている。そのため、昇降用コード５を操作することでスラット３をボトムレール６と共にヘッドボックス１側に引き上げることができる。
【００１６】
図２〜図４は本発明の実施形態からなるブラインド開閉制御装置を示すものである。図２〜図４に示すように、このブラインド開閉制御装置は、既存のブラインドに対して後付けされるものであって、任意の高さ位置のスラット３に装着されるプレート部材１１（第１プレート部材）と、プレート部材１１の下側のスラット３に装着されるプレート部材２１（第２プレート部材）とを備えている。
【００１７】
上側のプレート部材１１は、スラット３の幅方向に延長し、そのスラット幅方向の両端部に設けた複数の爪１２によりスラット３の下面に沿って固定されるようになっている。プレート部材１１のスラット３の開口部３ａに相当する位置には切り欠き部１３が形成されている。そのため、プレート部材１１は開口部３ａ内を通る昇降用コード５と干渉しない。そして、プレート部材１１のスラット幅方向の中央部には、２本の引き糸１４ａ，１４ｂの懸架点となるピン１５が切り欠き部１３を横切るように取り付けられている。２本の引き糸１４ａ，１４ｂはそれぞれ後端部に摘まみ１６ａ，１６ｂを備えている。
【００１８】
また、プレート部材１１のスラット幅方向の端部にはラダーコード２の縦糸に係合する係合溝１７が形成されている。この係合溝１７をラダーコード２の縦糸に係合させることで、プレート部材１１とラダーコード２とが一体化する。
【００１９】
更に、プレート部材１１はラダーコード２の縦糸に沿って延在する側板１８を備え、側板１８の下端に形成された係止溝１９が係止手段として機能するようになっている。この係止溝１９は、引き糸１４ａ，１４ｂの後端部を挟み込んで係止する。また、側板１８には引き糸１４ａ，１４ｂの屈曲点となるピン２０が設けられている。
【００２０】
一方、下側のプレート部材２１は、スラット３の幅方向に延長し、そのスラット幅方向の両端部に設けた複数の爪２２によりスラット３の下面に沿って固定されるようになっている。プレート部材２１のスラット３の開口部３ａに相当する位置には切り欠き部２３が形成されている。そのため、プレート部材２１は開口部３ａ内を通る昇降用コード５と干渉しない。
【００２１】
また、プレート部材２１のスラット幅方向の両端部にはそれぞれラダーコード２の縦糸に係合する係合溝２７が形成されている。これら係合溝２７をラダーコード２の縦糸に係合させることで、プレート部材２１とラダーコード２とが一体化し、プレート部材２１が装着されたスラット３の旋回動作をラダーコード２に確実に伝達することができる。
【００２２】
プレート部材１１のスラット幅方向の中央部から垂らされた引き糸１４ａ，１４ｂは、プレート部材２１のスラット幅方向の両端部に連結されている。つまり、引き糸１４ａはプレート部材２１の一方の端部に連結され、引き糸１４ｂはプレート部材２１の他方の端部に連結されている。このように引き糸１４ａ，１４ｂをプレート部材１１のスラット幅方向の中央部から垂らしているので、プレート部材２１の旋回動作を円滑に行うことができる。引き糸１４ａ，１４ｂは係合溝２７を利用してプレート部材２１の端部に固定すると良い。その際、引き糸１４ａ，１４ｂの長さを適宜調節することが可能である。
【００２３】
上述したブラインド開閉制御装置が装着されたブラインドを操作する場合、ストッパー７を解除して昇降用コード５を操作することによりボトムレール６を垂下させ、図１に示すように複数枚のスラット３を所定の間隔をおいて水平に配置する。そして、開閉コード４の操作によって複数枚のスラット３を水平軸廻りに旋回させることにより、ブラインド全体としての開閉を行う。
【００２４】
一方、ブラインドを部分的に開閉する場合、後付けされたブラインド開閉制御装置の引き糸１４ａ，１４ｂを適宜操作すれば良い。例えば、ブラインドの上側部分を開けた状態にしたまま下側部分を閉めた状態にする場合、図５〜図７に示すように、摘まみ１６ａを引っ張って引き糸１４ａを引き上げた状態にし、その引き糸１４ａの後端部を係止溝１９に挟み込んで係止する。これにより、プレート部材１１よりも下側のスラット３だけが旋回し、下側部分を閉めた状態にすることができる。
【００２５】
また、ブラインドの上側部分を開けた状態にしたまま下側部分を閉めた状態にする方法として、図８〜図１０に示すように、摘まみ１６ｂを引っ張って引き糸１４ｂを引き上げた状態にし、その引き糸１４ｂの後端部を係止溝１９に挟み込んで係止しても良い。これにより、プレート部材１１よりも下側のスラット３だけが旋回し、下側部分を閉めた状態にすることができる。
【００２６】
なお、図５〜図７に示す操作と図８〜図１０に示す操作との違いは、下側のスラット３の傾斜方向が相違する点であり、この傾斜方向を選択することで遮光状態を調整することが可能である。
【００２７】
上記ブラインド開閉制御装置では、ブラインドの上側部分を閉めた状態にする一方で下側部分を開けた状態にすることも可能である。この場合、ブラインド全体を閉めた状態にしてから、ブラインド開閉制御装置の引き糸１４ａ，１４ｂを適宜操作して下側部分だけを開けた状態にすれば良い。
【００２８】
上述のように任意の高さ位置のスラット３にプレート部材１１を装着し、そのプレート部材１１の下側のスラット３にプレート部材１２を装着し、これらプレート部材１１，１２に跨がる引き糸１４ａ，１４ａを操作することにより、ブラインドを部分的に開閉し、採光する位置を鉛直方向に選択することができる。
【００２９】
また、プレート部材１１，１２を装着する高さ位置を変更することにより、採光部分と遮光部分との境界を自由に設定することができる。従って、オフィスの設計や机の配置等に基づいて採光部分と遮光部分を任意に選択することにより、光によってコンピュータ画面が見え難くなったり、窓越しに情報が漏洩するなどの不都合を回避しながら適度な光を採り入れることが可能になる。
【００３０】
しかも、上記ブラインド開閉制御装置は、プレート部材１１，１２を主要部品とする簡単な構造であり、既存のブラインドに対して容易に取り付けることができる。また、対象となるブラインドの構造は特に限定されるものではない。
【００３１】
上述した実施形態では２本の引き糸を備えたブラインド開閉制御装置について説明したが、本発明では少なくとも１本の引き糸を備えていれば良い。また、第１プレート部材及び第２プレート部材の形状は特に限定されるものではなく、装着状態でスラットの動きに追従し、かつ他のスラットの動きを阻害しないものであれば良い。
【００３２】
【発明の効果】
以上説明したように本発明によれば、複数本のラダーコードをヘッドボックスから鉛直方向に垂下し、これらラダーコードの横糸上に水平方向に延長する複数枚のスラットを互いに平行に保持したブラインドの開閉状態を制御するために、任意のスラットに装着される第１プレート部材と、該第１プレート部材の下側のスラットに装着される第２プレート部材とを備え、第１プレート部材のスラット幅方向中央部から少なくとも１本の引き糸を垂らして第２プレート部材のスラット幅方向端部に連結し、第１プレート部材に引き糸を引き上げた状態で係止する係止手段を設けたブラインド開閉制御装置を構成したから、引き糸の引き上げ操作によってスラットを部分的に開閉し、採光位置を鉛直方向に選択することができ、しかもオフィス等における要求に応じて採光部分と遮光部分との境界を自由に設定することができる。また、本発明のブラインド開閉制御装置は、簡単な構造を有し、既存のブラインドに対して容易に取り付けることができる。
【図面の簡単な説明】
【図１】本発明のブラインド開閉制御装置が装着されるブラインドを例示する斜視図である。
【図２】本発明の実施形態からなるブラインド開閉制御装置をブラインドに装着した状態を示す下方斜視図である。
【図３】本発明の実施形態からなるブラインド開閉制御装置をブラインドに装着した状態を示す上方斜視図である。
【図４】本発明の実施形態からなるブラインド開閉制御装置をブラインドに装着した状態を示す側面図である。
【図５】本発明の実施形態からなるブラインド開閉制御装置をブラインドに装着して一方の引き糸を引き上げた状態を示す下方斜視図である。
【図６】本発明の実施形態からなるブラインド開閉制御装置をブラインドに装着して一方の引き糸を引き上げた状態を示す上方斜視図である。
【図７】本発明の実施形態からなるブラインド開閉制御装置をブラインドに装着して一方の引き糸を引き上げた状態を示す側面図である。
【図８】本発明の実施形態からなるブラインド開閉制御装置をブラインドに装着して他方の引き糸を引き上げた状態を示す下方斜視図である。
【図９】本発明の実施形態からなるブラインド開閉制御装置をブラインドに装着して他方の引き糸を引き上げた状態を示す上方斜視図である。
【図１０】本発明の実施形態からなるブラインド開閉制御装置をブラインドに装着して他方の引き糸を引き上げた状態を示す側面図である。
【符号の説明】
１  ヘッドボックス
２  ラダーコード
３  スラット
１１  プレート部材（第１プレート部材）
１４ａ，１４ｂ  引き糸
１７，２７  係合溝
１８  側板
１９  係止溝（係止手段）
２１  プレート部材（第２プレート部材）
【図１】
2004197311.tif 000003
【図２】
2004197311.tif 000004
【図３】
2004197311.tif 000005
【図４】
2004197311.tif 000006
【図５】
2004197311.tif 000007
【図６】
2004197311.tif 000008
【図７】
2004197311.tif 000009
【図８】
2004197311.tif 000010
【図９】
2004197311.tif 000011
【図１０】
2004197311.tif 000012